(57)【要約】      （修正有）【課題】使用者がハンモック本体から下方へ落下してしまうことを防止することができるハンモック装置を提供する。【解決手段】ハンモック装置は、ハンモック本体２と、ハンモック本体を支持するスタンド３とを備え、スタンドは、ハンモック本体を長辺方向両端部で吊り下げ支持すべくハンモック本体の長辺方向両端部に配置され、床面から上方に立ち上がる支柱部４と、支柱部を立ち上がった状態に維持すべく支柱部の下端部同士を連結する第一連結パイプ６〜９と第２連結パイプ１０、１１からなる連結部５とを備える。また、ハンモック本体の短辺方向両端部と支柱部の下端部又は連結部とを繋ぐベルト部からなる繋ぎ部材１２〜１５を備える。【選択図】図１
0003197397.tif 000002
【実用新案登録請求の範囲】
【請求項１】
ハンモック本体と、該ハンモック本体を支持するスタンドとを備え、該スタンドは、前記ハンモック本体を長辺方向両端部で吊り下げ支持すべく該ハンモック本体の長辺方向両端部に対応するように配置され、床面から上方に立ち上がる支柱部と、該支柱部を立ち上がった状態に維持すべく該支柱部の下端部同士を連結する連結部とを備えているハンモック装置であって、
前記ハンモック本体の短辺方向一端部と前記支柱部の下端部又は連結部とを繋ぐように構成され、該ハンモック本体の長辺方向で離間して配置される一対の繋ぎ部材と、前記ハンモック本体の短辺方向他端部と前記支柱部の下端部又は連結部とを繋ぐように構成され、該ハンモック本体の長辺方向で離間して配置される一対の繋ぎ部材とを備えていることを特徴とするハンモック装置。
【請求項２】
前記ハンモック本体の裏面側に、該ハンモック本体の短辺方向一端部と短辺方向他端部とに亘る保形バーを備え、前記繋ぎ部材は、前記保形バーと前記ハンモック本体との接続部に取り付けられていることを特徴とする請求項１に記載のハンモック装置。
【請求項３】
前記繋ぎ部材は、一端部が前記ハンモック本体に取り付けられるとともに、他端部が前記スタンドに取り付けられ、前記繋ぎ部材の一端部が取り付けられた前記ハンモック本体の取付部は、前記繋ぎ部材の他端部が取り付けられた前記スタンドの取付部より前記ハンモック本体の短辺方向において外側に位置していることを特徴とする請求項１又は２に記載のハンモック装置。
【請求項４】
前記繋ぎ部材は、前記ハンモック本体に基端部が取り付けられた第１ベルト部と、前記スタンドに基端部が取り付けられた第２ベルト部と、前記第１ベルト部及び第２ベルト部のうちの一方のベルト部の遊端部に設けられた被係止部と、前記他方のベルト部の遊端部に設けられ前記被係止部に係止及び係止解除自在な係止部とを備えていることを特徴とする請求項１〜３のうちのいずれか１項に記載のハンモック装置。
【考案の詳細な説明】
【技術分野】
【０００１】
本考案は、ハンモック本体と、該ハンモック本体を支持するスタンドとを備えたハンモック装置に関する。
【背景技術】
【０００２】
上記ハンモック装置としては、スタンドにハンモック本体を長辺方向両端部で吊り下げ支持したものが提案されている。具体的には、ハンモック本体を吊り下げ支持するスタンドが、ハンモック本体の長辺方向両端部のそれぞれに配置され上方に立ち上げられた支柱管と、それら支柱管の下端部同士をハンモック本体の長辺方向で連結する土台管と、支柱管を立ち上がった状態に維持すべく土台管と支柱管とを連結する補助管とを備えている。ハンモック本体の長辺方向両端部に位置する支柱管の上端部に、接続部を備えており、それら接続部にハンモック本体の長辺方向両端部に備えたチェーンを引っ掛けることによって、ハンモック本体を長辺方向両端部で吊り下げた状態に維持するようにしている（例えば、特許文献１参照）。
【先行技術文献】
【特許文献】
【０００３】
【特許文献１】実用新案登録第３０８１５２８号公報（図１、図３参照）
【考案の概要】
【考案が解決しようとする課題】
【０００４】
特許文献１の構成では、ハンモック本体の長辺方向両端部の２点でのみハンモック本体が吊り下げられている構成であるため、ハンモック本体に使用者が寝ている状態において、ハンモック本体が接続部を起点として長辺方向回りで所定角度回転してしまい、使用者がハンモック本体から落下してしまうことがあり、改善の余地があった。
【０００５】
そこで、本考案は、かかる事情に鑑みてなされたもので、使用者がハンモック本体から落下してしまうことを防止することができるハンモック装置を提供することを課題とする。
【課題を解決するための手段】
【０００６】
本考案に係るハンモック装置は、ハンモック本体と、該ハンモック本体を支持するスタンドとを備え、該スタンドは、前記ハンモック本体を長辺方向両端部で吊り下げ支持すべく該ハンモック本体の長辺方向両端部に対応するように配置され、床面から上方に立ち上がる支柱部と、該支柱部を立ち上がった状態に維持すべく該支柱部の下端部同士を連結する連結部とを備えているハンモック装置であって、前記ハンモック本体の短辺方向一端部と前記支柱部の下端部又は連結部とを繋ぐように構成され、該ハンモック本体の長辺方向で離間して配置される一対の繋ぎ部材と、前記ハンモック本体の短辺方向他端部と前記支柱部の下端部又は連結部とを繋ぐように構成され、該ハンモック本体の長辺方向で離間して配置される一対の繋ぎ部材とを備えていることを特徴としている。
【０００７】
本考案によれば、ハンモック本体の短辺方向一端部と支柱部の下端部又は連結部とをハンモック本体の長辺方向で離間して配置される一対の繋ぎ部材で繋ぐとともに、ハンモック本体の短辺方向他端部と支柱部の下端部又は連結部とをハンモック本体の長辺方向で離間して配置される一対の繋ぎ部材で繋ぐことによって、使用者がハンモック本体に寝ている時に、ハンモック本体が長手方向回りで回転することを阻止することができるので、使用者がハンモック本体から誤って落下してしまうことを防止できる。
【０００８】
また、本考案に係るハンモック装置は、前記ハンモック本体の裏面側に、該ハンモック本体の短辺方向一端部と短辺方向他端部とに亘る保形バーを備え、前記繋ぎ部材は、前記保形バーと前記ハンモック本体との接続部に取り付けられていてもよい。
【０００９】
上記のように、保形バーとハンモック本体との接続部に繋ぎ部材を取り付けることによって、使用者がハンモック本体に寝ている時に、ハンモック本体が長手方向回りで回転することを確実に阻止することができる。
【００１０】
また、本考案に係るハンモック装置は、前記繋ぎ部材が、一端部が前記ハンモック本体に取り付けられるとともに、他端部が前記スタンドに取り付けられ、前記繋ぎ部材の一端部が取り付けられた前記ハンモック本体の取付部は、前記繋ぎ部材の他端部が取り付けられた前記スタンドの取付部より前記ハンモック本体の短辺方向において外側に位置していてもよい。
【００１１】
上記のように、繋ぎ部材の一端部が取り付けられたハンモック本体の取付部が、繋ぎ部材の他端部が取り付けられたスタンドの取付部よりハンモック本体の短辺方向において外側に位置していれば、使用者がハンモック本体に寝ている時に、ハンモック本体が長手方向回りで回転することを効果的に阻止することができる。
【００１２】
また、本考案に係るハンモック装置は、前記繋ぎ部材が、前記ハンモック本体に基端部が取り付けられた第１ベルト部と、前記スタンドに基端部が取り付けられた第２ベルト部と、前記第１ベルト部及び第２ベルト部のうちの一方のベルト部の遊端部に設けられた被係止部と、前記他方のベルト部の遊端部に設けられ前記被係止部に係止及び係止解除自在な係止部とを備えていてもよい。
【００１３】
上記のように、一方のベルト部の被係止部に対して係止及び係止解除自在な係止部を他方のベルト部に備えているので、必要に応じて被係止部に係止部を係止した状態と係止を解除した状態とに迅速に切り替えることができる。
【考案の効果】
【００１４】
以上の如く、本考案によれば、ハンモック本体と支柱部の下端部又は連結部とを繋ぐ繋ぎ部材を備えているので、使用者がハンモック本体から下方へ落下してしまうことを防止することができるハンモック装置を提供することができる。
【図面の簡単な説明】
【００１５】
【図１】本考案に係るハンモック装置の斜視図である。
【図２】同ハンモック装置を示し、（ａ）は平面図、（ｂ）は正面図である。
【図３】本考案に係るハンモック装置の要部を示し、（ａ）は被係止部に係止部を係止する直前の状態を示す斜視図、（ｂ）は被係止部に係止部を係止した状態を示す斜視図である。
【考案を実施するための形態】
【００１６】
以下、本考案に係るハンモック装置の一実施形態について、図面に基づいて説明する。
【００１７】
図１に、ハンモック装置１が示されている。このハンモック装置１は、ハンモック本体２と、ハンモック本体２を支持するスタンド３とを備えている。
【００１８】
ハンモック本体２は、幅方向に対して長辺方向に長い布製（合成皮革製や合成樹脂製でもよい）のシートからなり、長辺方向の寸法及び短辺(幅)方向の寸法は、使用者一人が寝ることができる大きさに構成されている。具体的には、ハンモック本体２は、略長方形状の本体部２ａと、この本体部２ａの長辺方向（前後方向）両端部のそれぞれに、先端側ほど幅が狭くなる略三角形状となる前後の端部分２Ａ，２Ａとを備えている。各端部分２Ａの先端には、後述するリング４Ｆに係止及び係止解除可能な金属製の係止部材２Ｂが取り付けられている。
【００１９】
また、ハンモック本体２の裏面側に、ハンモック本体２の短辺方向一端部と短辺方向他端部とに亘る棒状の保形バーＢを備えて、ハンモック本体２が短辺方向において折れ曲がる等の変形が発生しないようにしている。この保形バーＢは、ハンモック本体２の短辺方向中央部側ほど下方に突出する円弧状に湾曲した形状に構成され、本体部２ａと端部分２Ａ，２Ａとの境界部分の２箇所に設けられている。
【００２０】
スタンド３は、ハンモック本体２を長辺方向両端部で吊り下げ支持すべくハンモック本体２の長辺方向両端部に配置される支柱部４と、これら支柱部４，４を立ち上がった状態に維持すべく支柱部４，４の下端部同士を連結する連結部５とを備えている。
【００２１】
各支柱部４は、断面形状が円形の２本の支柱パイプ４Ａ，４Ａと、これら支柱パイプ４Ａ，４Ａの上端に外嵌されるとともに枢支連結するためのキャップ４Ｃ，４Ｃとを備えている。また、各支柱パイプ４Ａの下端部には、連結部５を枢支連結するための円筒状の継手４Ｄを備えている。更に、各支柱パイプ４Ａの下端には、ゴム製又は合成樹脂製のフラットな底面を有するキャップ４Ｅが取り付けられており、室内での使用時に床面に傷が付かないようになっている。また、各支柱部４の上端には、ハンモック本体２を吊り下げるための金属製のリング４Ｆが取り付けられている。
【００２２】
連結部５は、短辺（幅）方向両端のそれぞれに配置された４本の第１連結パイプ６，７，８，９と、これら第１連結パイプ６，７，８，９を幅方向で連結する２本の第２連結パイプ１０，１１とを備えている。
【００２３】
第１連結パイプ６，７，８，９のうちの２本の第１連結パイプ６，７が、それらの長辺方向中央部をピンＰ１により枢支連結してＸ字状に構成されるとともに、それら第１連結パイプ６，７の一端が、ハンモック本体２の長辺方向一端側の支柱パイプ４Ａの継手４ＤにピンＰ２，Ｐ３により枢支連結されている。また、残る２本の第１連結パイプ８，９が、それらの長辺方向中央部をピンＰ４により枢支連結してＸ字状に構成されるとともに、それら第１連結パイプ８，９の一端が、ハンモック本体２の長辺方向他端側の支柱パイプ４Ａの第１継手４ＣにピンＰ５，Ｐ６により枢支連結されている。そして、一方側の第１連結パイプ６，７の支柱パイプ４Ａから離れる側の端と、他方側の第１連結パイプ８，９の支柱パイプ４Ａから離れる側の端とがピンＰ７，Ｐ８により枢支連結されている。このように構成された連結部５は、図示していないが、コンパクトに折り畳むことができるようになっている。
【００２４】
一方の第２連結パイプ１０が、図１において手前側で右側の第１連結パイプ８と、奥側で左側の第１連結パイプ７とを連結し、他方の第２連結パイプ１１が、図１において手前側で右側の第１連結パイプ９と、奥側で右側の第１連結パイプ８とを連結している。
【００２５】
前記構成の支柱部４，４のリング４Ｆ，４Ｆにハンモック本体２の両端の係止部材２Ｂ，２Ｂを係止してハンモック装置１を構成する。この状態のハンモック本体２に使用者が寝ているときに、ハンモック本体２が係止部材２Ｂ，２Ｂを起点として長辺方向回りで回転することを阻止する阻止手段を備えている。
【００２６】
その阻止手段は、ハンモック本体２の短辺方向一端部（図１の手前側の端部）と連結部５とを繋ぐように構成され、ハンモック本体２の長辺方向で離間して配置される一対の繋ぎ部材１２，１３と、ハンモック本体２の短辺方向他端部（図１の奥側の端部）と連結部５とを繋ぐように構成され、ハンモック本体２の長辺方向で離間して配置される一対の繋ぎ部材１４，１５の合計４つの繋ぎ部材１２，１３，１４，１５から構成されている。
【００２７】
４つの繋ぎ部材１２，１３，１４，１５は、同一構成であるため、以下において、一つの繋ぎ部材１２についてのみ説明する。繋ぎ部材１２は、ハンモック本体２に基端部が取り付けられた第１ベルト部１２Ａと、連結部５に基端部が取り付けられた第２ベルト部１２Ｂと、一方のベルト部である第１ベルト部１２Ａの遊端部に設けられた被係止部１２Ｃと、他方のベルト部である第２ベルト部１２Ｂの遊端部に設けられ被係止部１２Ｃに係止及び係止解除自在な係止部１２Ｄとを備えている。
【００２８】
また、繋ぎ部材１２は、保形バーＢとハンモック本体２との接続部である後述する紐体１６（図３（ａ），（ｂ）参照）に取り付けて（実際には括り付けて）いる。このように繋ぎ部材１２を取り付けることによって、使用者がハンモック本体に寝ている時に、ハンモック本体２がハンモック本体２の長手方向回りで回転することを確実に阻止することができる。
【００２９】
図２（ａ），（ｂ）に示すように、繋ぎ部材１２，１４の一端（図では上端）が取り付けられたハンモック本体２の取付部２Ｔ，２Ｔは、繋ぎ部材１２の他端（図では下端）が取り付けられたスタンド３の取付部３Ｔ，３Ｔよりハンモック本体２の短辺方向において外側に位置している。このように繋ぎ部材１２，１４を取り付けることによって、使用者がハンモック本体に寝ている時に、ハンモック本体２が長手方向回りで回転することを効果的に阻止することができる。しかも、繋ぎ部材１２，１４が内側下方に引っ張る引っ張り力を発生することになるため、ハンモック本体２の上下方向の揺れを抑制することができる。
【００３０】
図３（ａ），（ｂ）に、図１で示した手前側で左側の繋ぎ部材（バックルともいう）１２を示している。ハンモック本体２の一端部でかつハンモック本体２の短手方向一端部の裏面に、保形バーＢとハンモック本体２との接続部である紐体１６の両端を縫い付け、その紐体１６に一方のベルト部１２Ａを括り付けて固定している。その一方のベルト部１２Ａの遊端（図では下端）に雌部材からなる被係止部１２Ｃを備えている。他方のベルト部１２Ｂは、連結部５を構成する第１連結パイプ６の支柱部４側端部に括り付けて固定され、そのベルト部１２Ｂの遊端（図では上端）に雄部材からなる係止部１２Ｄを備えている。
【００３１】
このように構成された繋ぎ部材１２において、図２（ａ）に示すように、被係止部１２Ｃに対して係止部１２Ｄを矢印の方向へ移動させることによって、被係止部１２Ｃに係止部１２Ｄが挿入され、図２（ｂ）に示すように、係止された状態になる。この状態から係止を解除しながら被係止部１２Ｃに対して係止部１２Ｄを下方へ移動させることによって、被係止部１２Ｃから係止部１２Ｄを外すことができる。このように係止部１２Ｄと被係止部１２Ｃとを係脱するだけで、ハンモック本体２を支柱部４，４から迅速に取り外すことができる。
【００３２】
少なくとも一方のベルト部１２Ａ又は１２Ｂには、長さを調整する調整部を備えており、紐体１３と第１連結パイプ６との間を連結した状態のベルト部１２Ａ，１２Ｂが大きく弛むことがないように、調整部により調整することになる。
【００３３】
尚、本考案は、前記実施形態に限定されるものではなく、本考案の要旨を逸脱しない範囲で種々の変更が可能である。
【００３４】
前記実施形態では、繋ぎ部材１２をベルト部から構成したが、コイルスプリングや板状のゴム等の弾性体から構成してもよいし、金属製の板状又は棒状の部材から構成してもよい。
【００３５】
また、前記実施形態では、ベルト部１２Ｂを連結部５に取り付けたが、支柱部４の下端部に取り付けてもよい。
【００３６】
また、前記実施形態では、４箇所に繋ぎ部材を備えた場合を示したが、５箇所以上に繋ぎ部材を設けてもよい。
【００３７】
また、前記実施形態では、連結部５が折り畳み可能な構成としたが、折り畳みができない連結部であってもよい。
【符号の説明】
【００３８】
１…ハンモック装置、２…ハンモック本体、２Ａ…端部分、２Ｂ…係止部材、２Ｔ…取付部、３…スタンド、３Ｔ…取付部、４…支柱部、４Ａ…支柱パイプ、４Ｂ…パイプ、４Ｃ，４Ｄ…継手、４Ｅ…キャップ、４Ｆ…リング、５…連結部、６，７，８，９…第１連結パイプ、１０，１１…第２連結パイプ、１２〜１５…繋ぎ部材、１２Ａ，１２Ｂ…ベルト部、１２Ｃ…被係止部、１２Ｄ…係止部、１６…紐体、Ｂ…保形バー、Ｐ１〜Ｐ８…ピン
【図１】
0003197397.tif 000003
【図２】
0003197397.tif 000004
【図３】
0003197397.tif 000005